(57)【要約】【課題】投稿の活性化を図るとともに広告効果の向上を図り、もってこのようなサイトを安定的に運営することのできる情報表示管理システム等を提供することを目的とする。【解決手段】  管理サーバ４の広告表示制御部９２は、表示された投稿内容に含まれる指定キーワードが第２ユーザ端末７において選択された旨の信号を受信すると、情報データベース１００の広告テーブル１０６に基づいて、当該選択された指定キーワードと関連付けて記憶されていることを必要条件として広告内容を抽出し、その広告内容を第２ユーザ端末７に表示するよう制御する。報酬ポイント更新制御部９６は、広告内容が表示されることを必要条件として、投稿テーブル１０８およびユーザテーブル１０４に基づいて、当該広告内容が表示される原因となった投稿内容と関連付けて記憶されたユーザコードを抽出し、そのユーザのユーザポイントを増加する。【選択図】図２
2006185006.tif 000002
【特許請求の範囲】
【請求項１】
第１ユーザの使用する第１ユーザコンピュータと、
第２ユーザの使用する第２ユーザコンピュータと、
情報通信網を介して第１および第２ユーザコンピュータと通信可能なサーバコンピュータと、
を有するシステムであって、
サーバコンピュータは、
第１ユーザを特定する第１ユーザ特定データと投稿データとを関連付けて記憶し、前記第１ユーザ特定データと報酬ポイントとを関連付けて記憶し、かつ、広告データと指定キーワードとを関連付けて記憶する情報データベース、
にアクセス可能であり、かつ、
第１ユーザコンピュータから第１ユーザの投稿データを情報通信網を介して受信するとともに、受信した投稿データと第１ユーザ特定データとを関連付けて情報データベースに記憶するよう制御する投稿登録制御部と、
第２ユーザコンピュータから投稿データの表示を要求する投稿表示要求信号を情報通信網を介して受信すると、当該投稿表示要求信号に基づいて特定された投稿データに指定キーワードが含まれているか否かを情報データベースに基づいて判断し、当該投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、
前記投稿表示制御部の制御下で表示された前記投稿データに含まれる指定キーワードが第２ユーザコンピュータにおいて選択された旨の信号を情報通信網を介して受信すると、情報データベースに基づいて、当該選択された指定キーワードと関連付けて記憶されていることを必要条件として広告データを抽出するとともに、抽出された広告データを情報通信網を介して第２ユーザコンピュータに送信して表示するよう制御する広告表示制御部と、
前記広告表示制御部の制御下で前記広告データが表示されることを必要条件として、情報データベースに基づいて、当該広告データが表示される原因となった前記投稿データと関連付けて記憶された第１ユーザ特定データを抽出するとともに抽出された第１ユーザ特定データと関連付けて記憶された報酬ポイントを増加するよう制御する報酬ポイント更新制御部と、
を有する情報表示管理装置として機能する、
情報表示管理システム。
【請求項２】
第１ユーザを特定する第１ユーザ特定データと投稿データとを関連付けて記憶し、前記第１ユーザ特定データと報酬ポイントとを関連付けて記憶し、かつ、広告データと指定キーワードとを関連付けて記憶する情報データベース、
にアクセス可能であり、かつ、
第１ユーザコンピュータから第１ユーザの投稿データを情報通信網を介して受信するとともに、受信した投稿データと第１ユーザ特定データとを関連付けて情報データベースに記憶するよう制御する投稿登録制御部と、
第２ユーザコンピュータから投稿データの表示を要求する投稿表示要求信号を情報通信網を介して受信すると、当該投稿表示要求信号に基づいて特定された投稿データに指定キーワードが含まれているか否かを情報データベースに基づいて判断し、当該投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、
前記投稿表示制御部の制御下で表示された前記投稿データに含まれる指定キーワードが第２ユーザコンピュータにおいて選択された旨の信号を情報通信網を介して受信すると、情報データベースに基づいて、当該選択された指定キーワードと関連付けて記憶されていることを必要条件として広告データを抽出するとともに、抽出された広告データを情報通信網を介して第２ユーザコンピュータに送信して表示するよう制御する広告表示制御部と、
前記広告表示制御部の制御下で前記広告データが表示されることを必要条件として、情報データベースに基づいて、当該広告データが表示される原因となった前記投稿データと関連付けて記憶された第１ユーザ特定データを抽出するとともに抽出された第１ユーザ特定データと関連付けて記憶された報酬ポイントを増加するよう制御する報酬ポイント更新制御部と、
を備えた、
情報表示管理装置。
【請求項３】
第１ユーザを特定する第１ユーザ特定データと投稿データとを関連付けて記憶し、前記第１ユーザ特定データと報酬ポイントとを関連付けて記憶し、かつ、広告データと指定キーワードとを関連付けて記憶する情報データベース、
にアクセス可能なサーバコンピュータを、
第１ユーザコンピュータから第１ユーザの投稿データを情報通信網を介して受信するとともに、受信した投稿データと第１ユーザ特定データとを関連付けて情報データベースに記憶するよう制御する投稿登録制御部と、
第２ユーザコンピュータから投稿データの表示を要求する投稿表示要求信号を情報通信網を介して受信すると、当該投稿表示要求信号に基づいて特定された投稿データに指定キーワードが含まれているか否かを情報データベースに基づいて判断し、当該投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、
前記投稿表示制御部の制御下で表示された前記投稿データに含まれる指定キーワードが第２ユーザコンピュータにおいて選択された旨の信号を情報通信網を介して受信すると、情報データベースに基づいて、当該選択された指定キーワードと関連付けて記憶されていることを必要条件として広告データを抽出するとともに、抽出された広告データを情報通信網を介して第２ユーザコンピュータに送信して表示するよう制御する広告表示制御部と、
前記広告表示制御部の制御下で前記広告データが表示されることを必要条件として、情報データベースに基づいて、当該広告データが表示される原因となった前記投稿データと関連付けて記憶された第１ユーザ特定データを抽出するとともに抽出された第１ユーザ特定データと関連付けて記憶された報酬ポイントを増加するよう制御する報酬ポイント更新制御部と、
を有する情報表示管理装置、
として機能させるためのプログラム。
【請求項４】
請求項３のプログラムを記録した記録媒体。
【請求項５】
請求項１のシステム、請求項２の装置、請求項３のプログラムまたは請求項４のプログラムを記録した記録媒体において、
情報データベースは、さらに、広告主を特定する広告主特定データと前記広告データとを関連付けて記憶し、かつ、前記広告主特定データと課金ポイントとを関連付けて記憶し、
前記情報表示管理装置は、
前記広告表示制御部の制御下で前記広告データが表示されることを必要条件として、情報データベースに基づいて、当該広告データに関連付けて記憶された広告主特定データを抽出するとともに抽出された広告主特定データに関連付けて記憶された課金ポイントを増加するよう制御する課金ポイント更新制御部、
をさらに備えたこと、
を特徴とするもの。
【請求項６】
請求項１のシステム、請求項２の装置、請求項３のプログラム、請求項４のプログラムを記録した記録媒体、または、請求項５のシステム、装置、プログラムもしくはプログラムを記録した記録媒体のいずれかにおいて、
情報データベースは、さらに、広告主を特定する広告主特定データと前記広告データとを関連付けて記憶し、
前記情報表示管理装置は、
広告主の使用する広告主コンピュータであって前記情報通信網を介して当該情報表示管理装置と通信可能な広告主コンピュータから当該広告主の広告データと当該広告データに対応する指定キーワードとを情報通信網を介して受信し、受信した広告データと指定キーワードとを関連付けて情報データベースに記憶するとともに当該広告データと前記広告主特定データとを関連付けて情報データベースに記憶するよう制御する広告登録制御部、
をさらに備えたこと、
を特徴とするもの。
【請求項７】
請求項１のシステム、請求項２の装置、請求項３のプログラム、請求項４のプログラムを記録した記録媒体、または、請求項５ないし６のシステム、装置、プログラムもしくはプログラムを記録した記録媒体のいずれかにおいて、
前記情報表示管理装置は、
前記投稿表示制御部の制御下で表示された前記投稿データに含まれる指定キーワードが第２ユーザコンピュータにおいて選択された旨の信号を情報通信網を介して受信すると、情報データベースに基づいて、当該選択された指定キーワード含むことを必要条件として１以上の投稿データを抽出するとともに抽出された投稿データのリストを情報通信網を介して第２ユーザコンピュータに送信して表示するよう制御する投稿リスト表示制御部、
をさらに備えたこと、
を特徴とするもの。
【請求項８】
第１ユーザを特定する第１ユーザ特定データと投稿データとを関連付けて記憶し、前記第１ユーザ特定データと報酬ポイントとを関連付けて記憶し、かつ、広告データと指定キーワードとを関連付けて記憶する情報データベース、
にアクセス可能なサーバコンピュータを用いた情報表示管理方法であって、
サーバコンピュータが、第１ユーザコンピュータから第１ユーザの投稿データを情報通信網を介して受信するとともに、受信した投稿データと第１ユーザ特定データとを関連付けて情報データベースに記憶するよう制御する投稿登録ステップと、
サーバコンピュータが、第２ユーザコンピュータから投稿データの表示を要求する投稿表示要求信号を情報通信網を介して受信すると、当該投稿表示要求信号に基づいて特定された投稿データに指定キーワードが含まれているか否かを情報データベースに基づいて判断し、当該投稿データに指定キーワードが含まれていると判断した場合には、含まれている指定キーワードを選択可能な状態にした投稿データを情報通信網を介して第２ユーザコンピュータに送信して表示するよう制御する投稿表示ステップと、
サーバコンピュータが、前記投稿表示ステップの制御下で表示された前記投稿データに含まれる指定キーワードが第２ユーザコンピュータにおいて選択された旨の信号を情報通信網を介して受信すると、情報データベースに基づいて、当該選択された指定キーワードと関連付けて記憶されていることを必要条件として広告データを抽出するとともに、抽出された広告データを情報通信網を介して第２ユーザコンピュータに送信して表示するよう制御する広告表示ステップと、
サーバコンピュータが、前記広告表示ステップの制御下で前記広告データが表示されることを必要条件として、情報データベースに基づいて、当該広告データが表示される原因となった前記投稿データと関連付けて記憶された第１ユーザ特定データを抽出するとともに抽出された第１ユーザ特定データと関連付けて記憶された報酬ポイントを増加するよう制御する報酬ポイント更新ステップと、
を備えた情報表示管理方法。
【発明の詳細な説明】
【技術分野】
【０００１】
この発明は情報表示管理システム、情報表示管理装置、情報表示管理方法等に関し、とくに、投稿記事および広告を内容とする情報の表示を管理制御する技術に関する。
【背景技術】
【０００２】
個人の日記などの投稿記事を掲載するウェブサイトとしていわゆるブログサイト（blog site、すなわちweblog siteの略）が知られている。ブログサイトにはいわゆるクチコミ情報など生活に根ざした情報を含む記事が投稿されることが多いため、閲覧者にとって有用なことが少なくない。
【発明の開示】
【発明が解決しようとする課題】
【０００３】
しかしながら、従来のブログサイトにおいては、一般的に投稿者に対する原稿料などは支払われないことから、投稿活動はそれほど活発ではなかった。したがって、有用な情報が必ずしも十分に供給されているとは言えなかった。
【０００４】
一方、ブログサイトの運営を維持するために、サイトにバナー広告などを掲載しているケースも多い。しかし、上述のように有用な情報が十分に供給されないことから閲覧者もそれほど多くないうえ、掲載される広告が必ずしもユーザ一人ひとりの嗜好と一致するものとは限らないことから、広告効果もそれほど期待できなかった。
【０００５】
このため、ブログサイトは広告主にとってそれほど魅力的な広告媒体とは考えられておらず、この結果、十分な広告料収入を確保できないことから、ブログサイトの運営に支障を来すことも少なくなかった。
【０００６】
この発明は、従来のブログサイトのような投稿記事および広告を掲載するサイトにおける課題を解決し、投稿の活性化を図るとともに広告効果の向上を図り、もってこのようなサイトを安定的に運営することのできる情報表示管理システム等を提供することを目的とする。
【課題を解決するための手段】
【０００７】
この発明による情報表示管理システムは、第１ユーザの使用する第１ユーザコンピュータと、第２ユーザの使用する第２ユーザコンピュータと、情報通信網を介して第１および第２ユーザコンピュータと通信可能なサーバコンピュータと、を有するシステムであって、サーバコンピュータは、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能であり、かつ、第１ユーザコンピュータから第１ユーザの投稿データを情報通信網を介して受信するとともに、受信した投稿データと第１ユーザ特定データとを関連付けて情報データベースに記憶するよう制御する投稿登録制御部と、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、投稿表示制御部の制御下で表示された投稿データに含まれる指定キーワードが第２ユーザコンピュータにおいて選択された旨の信号を情報通信網を介して受信すると、情報データベースに基づいて、選択された指定キーワードと関連付けて記憶されていることを必要条件として広告データを抽出するとともに、抽出された広告データを情報通信網を介して第２ユーザコンピュータに送信して表示するよう制御する広告表示制御部と、広告表示制御部の制御下で広告データが表示されることを必要条件として、情報データベースに基づいて、広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新制御部と、を有する情報表示管理装置として機能する。
【０００８】
この発明による情報表示管理装置は、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能であり、かつ、第１ユーザコンピュータから第１ユーザの投稿データを情報通信網を介して受信するとともに、受信した投稿データと第１ユーザ特定データとを関連付けて情報データベースに記憶するよう制御する投稿登録制御部と、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、投稿表示制御部の制御下で表示された投稿データに含まれる指定キーワードが第２ユーザコンピュータにおいて選択された旨の信号を情報通信網を介して受信すると、情報データベースに基づいて、選択された指定キーワードと関連付けて記憶されていることを必要条件として広告データを抽出するとともに、抽出された広告データを情報通信網を介して第２ユーザコンピュータに送信して表示するよう制御する広告表示制御部と、広告表示制御部の制御下で広告データが表示されることを必要条件として、情報データベースに基づいて、当該広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新制御部と、を備えている。
【０００９】
この発明によるプログラムは、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能なサーバコンピュータを、第１ユーザコンピュータから第１ユーザの投稿データを情報通信網を介して受信するとともに、受信した投稿データと第１ユーザ特定データとを関連付けて情報データベースに記憶するよう制御する投稿登録制御部と、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、投稿表示制御部の制御下で表示された投稿データに含まれる指定キーワードが第２ユーザコンピュータにおいて選択された旨の信号を情報通信網を介して受信すると、情報データベースに基づいて、当該選択された指定キーワードと関連付けて記憶されていることを必要条件として広告データを抽出するとともに、抽出された広告データを情報通信網を介して第２ユーザコンピュータに送信して表示するよう制御する広告表示制御部と、広告表示制御部の制御下で広告データが表示されることを必要条件として、情報データベースに基づいて、広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新制御部と、を有する情報表示管理装置、として機能させるためのプログラムである。
【００１０】
この発明による情報表示管理方法は、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能なサーバコンピュータを用いた情報表示管理方法であって、サーバコンピュータが、第１ユーザコンピュータから第１ユーザの投稿データを情報通信網を介して受信するとともに、受信した投稿データと第１ユーザ特定データとを関連付けて情報データベースに記憶するよう制御する投稿登録ステップと、サーバコンピュータが、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示ステップと、サーバコンピュータが、投稿表示ステップの制御下で表示された投稿データに含まれる指定キーワードが第２ユーザコンピュータにおいて選択された旨の信号を情報通信網を介して受信すると、情報データベースに基づいて、選択された指定キーワードと関連付けて記憶されていることを必要条件として広告データを抽出するとともに、抽出された広告データを情報通信網を介して第２ユーザコンピュータに送信して表示するよう制御する広告表示ステップと、サーバコンピュータが、広告表示ステップの制御下で広告データが表示されることを必要条件として、情報データベースに基づいて、広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新ステップと、を備えている。
【００１１】
本発明の特徴は、上記のように広く示すことができるが、その構成や内容は、目的および特徴とともに、図面を考慮に入れた上で、以下の開示によりさらに明らかになるであろう。
【発明の効果】
【００１２】
請求項１による情報表示管理システムは、第１ユーザの使用する第１ユーザコンピュータと、第２ユーザの使用する第２ユーザコンピュータと、情報通信網を介して第１および第２ユーザコンピュータと通信可能なサーバコンピュータと、を有するシステムであって、サーバコンピュータは、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能であり、かつ、第１ユーザコンピュータから第１ユーザの投稿データを情報通信網を介して受信するとともに、受信した投稿データと第１ユーザ特定データとを関連付けて情報データベースに記憶するよう制御する投稿登録制御部と、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、投稿表示制御部の制御下で表示された投稿データに含まれる指定キーワードが第２ユーザコンピュータにおいて選択された旨の信号を情報通信網を介して受信すると、情報データベースに基づいて、選択された指定キーワードと関連付けて記憶されていることを必要条件として広告データを抽出するとともに、抽出された広告データを情報通信網を介して第２ユーザコンピュータに送信して表示するよう制御する広告表示制御部と、広告表示制御部の制御下で広告データが表示されることを必要条件として、情報データベースに基づいて、広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新制御部と、を有する情報表示管理装置として機能する。
【００１３】
請求項２による情報表示管理装置は、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能であり、かつ、第１ユーザコンピュータから第１ユーザの投稿データを情報通信網を介して受信するとともに、受信した投稿データと第１ユーザ特定データとを関連付けて情報データベースに記憶するよう制御する投稿登録制御部と、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、投稿表示制御部の制御下で表示された投稿データに含まれる指定キーワードが第２ユーザコンピュータにおいて選択された旨の信号を情報通信網を介して受信すると、情報データベースに基づいて、選択された指定キーワードと関連付けて記憶されていることを必要条件として広告データを抽出するとともに、抽出された広告データを情報通信網を介して第２ユーザコンピュータに送信して表示するよう制御する広告表示制御部と、広告表示制御部の制御下で広告データが表示されることを必要条件として、情報データベースに基づいて、当該広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新制御部と、を備えている。
【００１４】
請求項３によるプログラムは、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能なサーバコンピュータを、第１ユーザコンピュータから第１ユーザの投稿データを情報通信網を介して受信するとともに、受信した投稿データと第１ユーザ特定データとを関連付けて情報データベースに記憶するよう制御する投稿登録制御部と、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示制御部と、投稿表示制御部の制御下で表示された投稿データに含まれる指定キーワードが第２ユーザコンピュータにおいて選択された旨の信号を情報通信網を介して受信すると、情報データベースに基づいて、当該選択された指定キーワードと関連付けて記憶されていることを必要条件として広告データを抽出するとともに、抽出された広告データを情報通信網を介して第２ユーザコンピュータに送信して表示するよう制御する広告表示制御部と、広告表示制御部の制御下で広告データが表示されることを必要条件として、情報データベースに基づいて、広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新制御部と、を有する情報表示管理装置、として機能させるためのプログラムである。
【００１５】
請求項４によるプログラムを記録した記録媒体は、上記プログラムを記録している。
【００１６】
請求項８による情報表示管理方法は、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶する情報データベース、にアクセス可能なサーバコンピュータを用いた情報表示管理方法であって、サーバコンピュータが、第１ユーザコンピュータから第１ユーザの投稿データを情報通信網を介して受信するとともに、受信した投稿データと第１ユーザ特定データとを関連付けて情報データベースに記憶するよう制御する投稿登録ステップと、サーバコンピュータが、第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御する投稿表示ステップと、サーバコンピュータが、投稿表示ステップの制御下で表示された投稿データに含まれる指定キーワードが第２ユーザコンピュータにおいて選択された旨の信号を情報通信網を介して受信すると、情報データベースに基づいて、選択された指定キーワードと関連付けて記憶されていることを必要条件として広告データを抽出するとともに、抽出された広告データを情報通信網を介して第２ユーザコンピュータに送信して表示するよう制御する広告表示ステップと、サーバコンピュータが、広告表示ステップの制御下で広告データが表示されることを必要条件として、情報データベースに基づいて、広告データが表示される原因となった投稿データと関連付けて記憶された第１ユーザ特定データを抽出するとともに抽出された第１ユーザ特定データと関連付けて記憶された報酬ポイントを増加するよう制御する報酬ポイント更新ステップと、を備えている。
【００１７】
つまり、これらのシステム、装置、プログラム、プログラムを記録した記録媒体および方法においては：情報データベースに、第１ユーザを特定する第１ユーザ特定データと投稿データとを関連付けて記憶し、第１ユーザ特定データと報酬ポイントとを関連付けて記憶し、かつ、広告データと指定キーワードとを関連付けて記憶するようにしておき；第１ユーザコンピュータから第１ユーザの投稿データを情報通信網を介して受信するとともに、受信した投稿データと第１ユーザ特定データとを関連付けて情報データベースに記憶するよう制御し；第２ユーザコンピュータから投稿データの表示を要求する投稿表示要求信号を情報通信網を介して受信すると、投稿表示要求信号に基づいて特定された投稿データに指定キーワードが含まれているか否かを情報データベースに基づいて判断し、投稿データに指定キーワードが含まれていると判断した場合には、含まれている指定キーワードを選択可能な状態にした投稿データを情報通信網を介して第２ユーザコンピュータに送信して表示するよう制御し；表示された投稿データに含まれる指定キーワードが第２ユーザコンピュータにおいて選択された旨の信号を情報通信網を介して受信すると、情報データベースに基づいて、選択された指定キーワードと関連付けて記憶されていることを必要条件として広告データを抽出するとともに、抽出された広告データを情報通信網を介して第２ユーザコンピュータに送信して表示するよう制御し；広告データが表示されることを必要条件として、情報データベースに基づいて、広告データが表示される原因となった投稿データと関連付けて記憶された第１ユーザ特定データを抽出するとともに抽出された第１ユーザ特定データと関連付けて記憶された報酬ポイントを増加するよう制御する、ことを特徴とする。
【００１８】
したがって、第２ユーザが投稿データの表示を要求した場合、投稿データに指定キーワードが含まれていると、第２ユーザコンピュータには、指定キーワードが選択可能な状態とされた投稿データが表示される。ここで、第２ユーザが指定キーワードを選択すると、当該キーワードと関連付けて記憶されている広告データが第２ユーザコンピュータに表示されるとともに、当該投稿データを投稿した第１ユーザの報酬ポイントが増加する。
【００１９】
このため、報酬ポイントの増加を動機付けとして、第１ユーザ（投稿者）の投稿活動が活性化され、有用な情報を十分に供給することが可能となる。
【００２０】
また、この結果、情報を閲覧する第２ユーザ（閲覧者）が増加する上、第２ユーザコンピュータには、第２ユーザが選択した指定キーワードと関連付けられた広告データが表示されるので、ユーザ一人ひとりの嗜好と一致する広告を提供することができる。したがって、広告効果の向上が期待できる。
【００２１】
すなわち、投稿の活性化を図るとともに広告効果の向上を図り、もって投稿記事および広告を掲載するようなサイトを安定的に運営することのできる情報表示管理システム等を実現することができる。
【００２２】
請求項５のシステム、装置、プログラムまたはプログラムを記録した記録媒体においては、情報データベースは、さらに、広告主を特定する広告主特定データと広告データとを関連付けて記憶し、かつ、広告主特定データと課金ポイントとを関連付けて記憶し、情報表示管理装置は、広告表示制御部の制御下で広告データが表示されることを必要条件として、情報データベースに基づいて、当該広告データに関連付けて記憶された広告主特定データを抽出するとともに抽出された広告主特定データに関連付けて記憶された課金ポイントを増加するよう制御する課金ポイント更新制御部、をさらに備えたこと、を特徴とする。
【００２３】
つまり、第２ユーザが自ら選択した指定キーワードに関連するとして第２ユーザコンピュータに広告データが表示されたことを条件に、広告主の課金ポイントが増加する。このため、真に広告効果が期待できる場合に広告主に課金されることになり、広告主にとって、費用対効果が高い。このため、広告主を多く集めることができる。
【００２４】
請求項６のシステム、装置、プログラムまたはプログラムを記録した記録媒体においては、情報データベースは、さらに、広告主を特定する広告主特定データと広告データとを関連付けて記憶し、情報表示管理装置は、広告主の使用する広告主コンピュータであって情報通信網を介して当該情報表示管理装置と通信可能な広告主コンピュータから当該広告主の広告データと当該広告データに対応する指定キーワードとを情報通信網を介して受信し、受信した広告データと指定キーワードとを関連付けて情報データベースに記憶するとともに当該広告データと広告主特定データとを関連付けて情報データベースに記憶するよう制御する広告登録制御部、をさらに備えたこと、を特徴とする。
【００２５】
つまり、広告主は、情報通信網を介して、広告主コンピュータから広告データと当該広告データに対応する指定キーワードとを情報データベースに登録することができる。したがって、広告主は、所望の広告データおよび所望の指定キーワードを、所望のタイミングで、簡単に情報データベースに登録することができる。このため、タイムリーで広告効果の高い広告を簡単に実現することができ、広告主をさらに多く集めることができる。
【００２６】
請求項７のシステム、装置、プログラムまたはプログラムを記録した記録媒体においては、情報表示管理装置は、投稿表示制御部の制御下で表示された前記投稿データに含まれる指定キーワードが第２ユーザコンピュータにおいて選択された旨の信号を情報通信網を介して受信すると、情報データベースに基づいて、当該選択された指定キーワード含むことを必要条件として１以上の投稿データを抽出するとともに抽出された投稿データのリストを情報通信網を介して第２ユーザコンピュータに送信して表示するよう制御する投稿リスト表示制御部、をさらに備えたこと、を特徴とする。
【００２７】
つまり、第２ユーザコンピュータに表示された投稿データに含まれる指定キーワードを第２ユーザが選択すると、当該指定キーワードを含む投稿データのリストが、第２ユーザコンピュータに表示される。したがって、第２ユーザコンピュータに表示された投稿データに含まれる指定キーワードを選択することで、第２ユーザは、自己の嗜好に一致した広告のみならず、自己の嗜好に一致した投稿データをも閲覧することができる。このため、ユーザ一人ひとりの嗜好に合致した有用な情報を、ユーザごとに、十分に供給することが可能となる。
【発明を実施するための最良の形態】
【００２８】
図１は、この発明の一実施形態による情報表示管理システム２の構成を示す図面である。情報表示管理システム２においては、サーバコンピュータである情報表示管理装置（管理サーバ）４は、複数の第１ユーザコンピュータである複数の第１ユーザ端末６、複数の第２ユーザコンピュータである複数の第２ユーザ端末７および複数の広告主コンピュータである複数の広告主端末１０と、情報通信網８を介して通信可能となっている。
【００２９】
図２は、図１の情報表示管理システム２を構成する管理サーバ４、第１ユーザ端末６、第２ユーザ端末７および広告主端末１０の構成を示すブロック図である。
【００３０】
図２に示すように、広告主の使用する広告主端末１０は、入力装置１０ａ、表示装置１０ｂおよび記憶装置１０ｃを備えている。広告主端末１０は、入力装置１０ａを介して入力された広告データと当該広告データに対応する指定キーワードとを、広告主特定データと関連付けて、情報通信網８を介して管理サーバ４に送信する。
【００３１】
第１ユーザの使用する第１ユーザ端末６は、入力装置６ａ、表示装置６ｂおよび記憶装置６ｃを備えている。第１ユーザ端末６は、入力装置６ａを介して第１ユーザにより入力された投稿データを、第１ユーザ特定データと関連付けて、情報通信網８を介して管理サーバ４に送信する。
【００３２】
第２ユーザの使用する第２ユーザ端末７は、入力装置７ａ、表示装置７ｂおよび記憶装置７ｃを備えている。第２ユーザ端末７は、情報通信網８を介して投稿データや広告データを管理サーバ４から受信し、表示装置７ｂに表示する。
【００３３】
なお、投稿するユーザを第１ユーザとし、投稿データや広告データを閲覧するユーザを第２ユーザとしているが、第１ユーザと第２ユーザとは、排他的な関係ではない。すなわち、同じユーザであっても、投稿するときは第１ユーザとなり、投稿データや広告データを閲覧するときは第２ユーザとなる。したがって、第１ユーザ端末６と第２ユーザ端末７との関係も排他的なものではない。すなわち、同じユーザ端末であっても、投稿するときは第１ユーザ端末６となり、投稿データや広告データを閲覧するときは第２ユーザ端末７となる。もちろん、これら第１ユーザ端末６および／または第２ユーザ端末７と広告主端末１０との関係も、排他的なものではない。
【００３４】
管理サーバ４は、情報データベース１００と、情報データベース１００にアクセス可能な制御部８０とを備えている。
【００３５】
情報データベース１００は、広告主テーブル１０２，ユーザテーブル１０４，広告テーブル１０６，投稿テーブル１０８およびキーワードテーブル１１０を備えている。図６〜図１０Ｂは、それぞれ、広告主テーブル１０２，ユーザテーブル１０４，広告テーブル１０６，投稿テーブル１０８,キーワードテーブル１１０およびカテゴリーテーブル１１１のデータ構造の一例を示す図面である。
【００３６】
図６に示すように、広告主テーブル１０２は、広告主特定データとしての広告主コードと課金ポイントとを関連付けて記憶するよう構成されている。さらに、広告主テーブル１０２は、広告主コードと、広告主パスワード、広告主の名称、広告主の所在地および連絡先とを、関連付けて記憶している。
【００３７】
図７に示すように、ユーザテーブル１０４は、第１ユーザを特定する第１ユーザ特定データとしてのユーザコードと報酬ポイントとしてのユーザポイントとを関連付けて記憶するよう構成されている。この実施形態においては、ユーザテーブル１０４は、第１ユーザと第２ユーザとを区別することなく単にユーザとして記憶するよう構成されている。したがって、ユーザコードは、第２ユーザ特定データでもある。さらに、ユーザテーブル１０４は、ユーザコードと、ユーザの氏名、住所、性別、生年月日、メールアドレス、興味のある情報のカテゴリーとしてユーザ自身が決定した１以上のユーザカテゴリー（ユーザカテゴリーＡ、ユーザカテゴリーＢ、・・・）、および、ユーザ自信が気になるとして自由に入力したフリーワード（フリーワードＡ、フリーワードＢ、・・・）とを、関連付けて記憶している。
【００３８】
図８に示すように、広告テーブル１０６は、広告データとしての広告内容（広告の内容を構成するテキストデータ、画像データなど）と１以上の指定キーワード（指定キーワードＡ、指定キーワードＢ、・・・）とを関連付けて記憶するとともに、当該広告内容と広告主コードとを関連付けて記憶するよう構成されている。さらに、広告テーブル１０６は、広告内容と、当該広告内容を特定する広告コード、広告の掲載日時、対象地域、対象性別、対象年齢、および、広告のカテゴリーである広告カテゴリーとを関連付けて記憶している。
【００３９】
図９に示すように、投稿テーブル１０８は、第１ユーザ特定データとしてのユーザコードと投稿データとしての投稿内容（投稿の内容を構成するテキストデータ、画像データなど）とを関連付けて記憶するよう構成されている。さらに、投稿テーブル１０８は、投稿内容と、当該投稿内容を特定する投稿コードと、投稿日時と、投稿内容のカテゴリーである投稿カテゴリーとを関連付けて記憶している。
【００４０】
なお、この発明における投稿には、他人の投稿（原投稿）に対するコメントを内容とするもの（コメント投稿）も含まれるが、コメント投稿の場合には、投稿テーブル１０８は、さらに、コメント投稿の投稿内容と、原投稿の投稿コードとを関連付けて記憶している。なお、コメント投稿の場合、投稿カテゴリーは、原投稿のそれと同一であるから、必ずしも記憶する必要はない。
【００４１】
図１０Ａに示すように、キーワードテーブル１１０は、キーワードと、当該キーワードの属する１以上のカテゴリー（カテゴリーＡ、カテゴリーＢ、・・・）とを関連付けて記憶するよう構成されている。
【００４２】
図１０Ｂに示すように、カテゴリーテーブル１１１は、ユーザ端末６，７や広告主端末１０に表示すべき情報のカテゴリーを記憶するよう構成されている。
【００４３】
このようなテーブル構成により、情報データベース１００は、第１ユーザを特定する第１ユーザ特定データと投稿データとを関連付けて記憶し、第１ユーザ特定データと報酬ポイントとを関連付けて記憶し、広告データと指定キーワードとを関連付けて記憶し、広告主を特定する広告主特定データと広告データとを関連付けて記憶し、かつ、広告主特定データと課金ポイントとを関連付けて記憶している。
【００４４】
図２に戻って、制御部８０は、広告主登録制御部８２，ユーザ登録制御部８４，広告登録制御部８６，投稿登録制御部８８，投稿表示制御部９０，広告表示制御部９２，課金ポイント更新制御部９４、報酬ポイント更新制御部９６および投稿リスト表示制御部９８を備えている。
【００４５】
広告主登録制御部８２は、広告主端末１０から広告主のパスワード、広告主の名称、広告主の所在地および広告主の連絡先など広告主の属性を示すデータを情報通信網８を介して受信し、新たな広告主コードを生成し、受信したこれらのデータを、生成した広告主コードに関連付けて、情報データベース１００の広告主テーブル１０２（図６参照）に記憶するよう制御する。
【００４６】
ユーザ登録制御部８４は、第１ユーザ端末６または第２ユーザ端末７からユーザの氏名、ユーザの住所、ユーザの性別、ユーザの生年月日、ユーザのメールアドレス、ユーザの決定した１以上のユーザカテゴリー（ユーザカテゴリーＡ、ユーザカテゴリーＢ、・・・）、ユーザの入力したフリーキーワードなどユーザの属性を示すデータを情報通信網８を介して受信し、新たなユーザコードを生成し、受信したこれらのデータを、生成したユーザコードに関連付けて、情報データベース１００のユーザテーブル１０４（図７参照）に記憶するよう制御する。
【００４７】
広告登録制御部８６は、広告主端末１０から広告主コード、広告内容、広告掲載日時、広告対象地域、広告対象性別、広告対象年齢、広告カテゴリー、指定キーワード（指定キーワードＡ、指定キーワードＢ、・・・）など広告の属性を示すデータを情報通信網８を介して受信し、広告を特定する広告特定データとしての広告コードを新たに生成し、受信したこれらのデータを、生成した広告コードに関連付けて、情報データベース１００の広告テーブル１０６（図８参照）に記憶するよう制御する。
【００４８】
投稿登録制御部８８は、第１ユーザ端末６からユーザコード、投稿内容、投稿日時、投稿カテゴリーなど投稿の属性を示すデータを情報通信網８を介して受信し、投稿を特定する投稿特定データとしての投稿コードを新たに生成し、受信したこれらのデータを、生成した投稿コードに関連付けて、情報データベース１００の投稿テーブル１０８（図９参照）に記憶するよう制御する。
【００４９】
投稿表示制御部９０は、第２ユーザ端末７から投稿内容の表示を要求する投稿表示要求信号を当該第２ユーザのユーザコードとともに情報通信網８を介して受信すると、当該投稿表示要求信号に基づいて特定された投稿内容に指定キーワードが含まれているか否かを情報データベース１００の投稿テーブル１０８と広告テーブル１０６とに基づいて判断し、当該投稿内容に指定キーワードが含まれていると判断した場合には、含まれている指定キーワードを選択可能な状態にした投稿内容を情報通信網８を介して当該第２ユーザ端末７に送信して表示するよう制御する。
【００５０】
広告表示制御部９２は、投稿表示制御部９０の制御下で表示された投稿内容に含まれる指定キーワードが第２ユーザ端末７において選択された旨の信号を情報通信網８を介して受信すると、情報データベース１００の広告テーブル１０６に基づいて、当該選択された指定キーワードと関連付けて記憶されていることを必要条件として広告内容を抽出するとともに、抽出された広告内容を情報通信網８を介して第２ユーザ端末７に送信して表示するよう制御する。
【００５１】
課金ポイント更新制御部９４は、広告表示制御部９２の制御下で広告内容が表示されることを必要条件として、情報データベース１００の広告テーブル１０６および広告主テーブル１０２に基づいて、当該広告内容に関連付けて記憶された広告主コードを抽出するとともに、抽出された広告主コードに関連付けて記憶された課金ポイントを増加するよう制御する。
【００５２】
報酬ポイント更新制御部９６は、広告表示制御部９２の制御下で広告内容が表示されることを必要条件として、情報データベース１００の投稿テーブル１０８およびユーザテーブル１０４に基づいて、当該広告内容が表示される原因となった投稿内容と関連付けて記憶されたユーザコードを抽出するとともに、抽出されたユーザコードと関連付けて記憶されたユーザポイントを増加するよう制御する。
【００５３】
投稿リスト表示制御部９８は、投稿表示制御部９０の制御下で表示された投稿内容に含まれる指定キーワードが第２ユーザ端末７において選択された旨の信号を情報通信網８を介して受信すると、情報データベース１００の投稿テーブル１０８に基づいて、当該選択された指定キーワード含むことを必要条件として１以上の投稿内容を抽出するとともに抽出された投稿内容のリストを情報通信網を介して第２ユーザ端末７に送信して表示するよう制御する。
【００５４】
図３は、管理サーバ（情報表示管理装置）４として機能するサーバコンピュータ４，第１ユーザ端末６（第２ユーザ端末７），および広告主端末１０のハードウェア構成を説明するためのブロック図である。
【００５５】
サーバコンピュータ４は、図２に示す情報データベース１００の記憶媒体であり本システムのプログラムを記録した記録媒体でもある記憶装置としてのハードディスク５０、ハードディスク５０に記録されたプログラムを主メモリ（図示せず）にロードして実行する制御部８０であるＣＰＵ４２，表示装置であるＬＣＤ（液晶表示装置）４４，入力装置であるキーボード４６およびマウス４８，ならびに、情報通信網８としてのインターネット８を介して第１ユーザ端末６（第２ユーザ端末７）および広告主端末１０等と通信するための通信インタフェース５２を備えている。
【００５６】
この実施形態においては、第１ユーザ端末６（第２ユーザ端末７）はパーソナルコンピュータである。第１ユーザ端末６（第２ユーザ端末７）は、入力装置６ａであるキーボード６６およびマウス６８，表示装置６ｂであるＬＣＤ６４、ＯＳ（オペレーションシステム）や閲覧プログラム等を記録した記憶装置６ｃであるハードディスク７０、ハードディスク７０に記録されたプログラム等を主メモリ（図示せず）にロードして実行するＣＰＵ６２，インターネット８を介してサーバコンピュータ４と通信するための通信インタフェース７２を備えている。
【００５７】
この実施形態においては、広告主端末１０はパーソナルコンピュータである。広告主端末１０は、入力装置１０ａであるキーボード２６およびマウス２８，表示装置１０ｂであるＬＣＤ２４、ＯＳ等のプログラムを記録した記憶装置１０ｃであるハードディスク３０、ハードディスク３０に記録されたプログラム等を主メモリ（図示せず）にロードして実行するＣＰＵ２２，インターネット８を介してサーバコンピュータ４と通信するための通信インタフェース３２を備えている。
【００５８】
図４は、情報表示管理システム２における処理の流れの一例を示すフローチャートである。図５は、図４に示す広告表示処理Ｓ６の詳細な一例を表したフローチャートである。
【００５９】
図１１は、ユーザ登録処理（ステップＳ２）において第１ユーザ端末６（第２ユーザ端末７）に表示される画面の一例を示す図面である。
【００６０】
図１２は、広告登録処理（ステップＳ３）において広告主端末１０に表示される画面の一例を示す図面である。
【００６１】
図１３は、投稿登録処理（ステップＳ４）において第１ユーザ端末６に表示される画面の一例を示す図面である。
【００６２】
図１４は、投稿表示処理（ステップＳ５）において第２ユーザ端末７に表示される画面の一例を示す図面である。
【００６３】
図１５は、広告表示処理（ステップＳ６）〜投稿リスト表示処理（ステップＳ９）において第２ユーザ端末７に表示される画面の一例を示す図面である。
【００６４】
図２〜図１５に基づいて、情報表示管理システム２の動作の説明を行う。図３に示すサーバコンピュータ４のＣＰＵ４２は、図４に示すように、広告主登録処理を行う（ステップＳ１）。
【００６５】
すなわち、ＣＰＵ４２は、広告主登録を要求する広告主登録要求信号がインターネット８を介して広告主端末１０から送信されてくるのを監視しており、当該信号を広告主端末１０から受信すると、広告主登録画面（図示せず）をインターネット８を介して広告主端末１０に送信して、広告主端末１０に表示するよう制御する。
【００６６】
その後、ＣＰＵ４２は、広告主登録画面の表示に応答して広告主端末１０から入力された広告主の属性を示すデータをインターネット８を介して受信し、新たな広告主コードを生成し、受信したこれらのデータを、生成した広告主コードに関連付けて、情報データベース１００の広告主テーブル１０２（図６参照）に記憶する。
【００６７】
つぎに、ＣＰＵ４２は、ユーザ登録処理を行う（ステップＳ２）。
【００６８】
すなわち、ＣＰＵ４２は、ユーザ登録を要求するユーザ登録要求信号がインターネット８を介して第１ユーザ端末６または第２ユーザ端末７（以下、単に「ユーザ端末」ということがある。）から送信されてくるのを監視しており、当該信号をユーザ端末から受信すると、ユーザ登録画面１１２（図１１参照）をインターネット８を介して当該ユーザ端末に送信して、ユーザ端末に表示するよう制御する。
【００６９】
その後、ＣＰＵ４２は、ユーザ登録画面１１２の表示に応答してユーザ端末から入力された第１ユーザまたは第２ユーザ（以下、単に「ユーザ」ということがある。）の属性を示すデータをインターネット８を介して受信し、新たなユーザコードを生成し、受信したこれらのデータを、生成したユーザコードに関連付けて、情報データベース１００のユーザテーブル１０４（図７参照）に記憶する。
【００７０】
なお、この実施形態においては、ユーザ登録画面１１２からカテゴリーを入力させる際、ＣＰＵ４２は、情報データベース１００のカテゴリーテーブル１１１（図１０Ｂ参照）に記憶されているカテゴリーを読み出し、これらを投稿登録画面１１２のカテゴリー表示領域１１２ａに表示するよう制御する。
【００７１】
カテゴリー表示領域１１６ａから、カテゴリーが選択されると（この例では、該当するカテゴリーにチェックマークが入れられると）、ＣＰＵ４２は、当該選択されたカテゴリーをユーザカテゴリーとして、ユーザテーブル１０４（図７参照）に記憶する。なお、ユーザカテゴリーは、複数選択することができる。
【００７２】
また、この実施形態においては、ユーザ登録画面１１２のフリーワード入力領域１１２ｂからフリーワードを入力することができるよう構成されている。入力されたフリーワードは、ユーザテーブル１０４（図７参照）のフリーワード記憶領域に記憶されるが、このように構成するのではなく、または、このように構成するとともに、入力されたフリーワードを、キーワードテーブル１１０（図１０Ａ参照）に基づいて、当該フリーワード（キーワードテーブル１１０においては「キーワード」）と関連付けて記憶されているカテゴリーに変換し、変換により得られたカテゴリーを、ユーザカテゴリーとしてユーザテーブル１０４に記憶するよう構成することもできる。
【００７３】
なお、この実施形態においては、ユーザの住所として、ユーザ登録画面１１２の郵便番号入力領域１１２ｃから入力された郵便番号を住所に変換したものを用いている。
【００７４】
つぎに、ＣＰＵ４２は、広告登録処理を行う（ステップＳ３）。
【００７５】
すなわち、ＣＰＵ４２は、広告登録を要求する広告登録要求信号がインターネット８を介して広告主端末１０から送信されてくるのを監視しており、当該信号を広告主端末１０から受信すると、広告登録画面１１４（図１２参照）をインターネット８を介して広告主端末１０に送信して、広告主端末１０に表示するよう制御する。
【００７６】
その後、ＣＰＵ４２は、広告登録画面１１４の表示に応答して広告主端末１０から入力された広告の属性を示すデータをインターネット８を介して受信し、新たな広告コードを生成し、受信したこれらのデータを、生成した広告コードに関連付けて、情報データベース１００の広告テーブル１０６（図８参照）に記憶する。
【００７７】
なお、この実施形態においては、広告登録画面１１４から指定キーワードを入力させる際、まず、ＣＰＵ４２は、情報データベース１００のカテゴリーテーブル１１１（図１０Ｂ参照）に記憶されているカテゴリーを読み出し、これらを広告登録画面１１４のカテゴリー表示領域１１４ａに表示するよう制御する。
【００７８】
カテゴリー表示領域１１４ａから、１つのカテゴリーが選択されると、ＣＰＵ４２は、キーワードテーブル１１０に基づいて、当該選択されたカテゴリーに関連付けて記憶されているキーワードを抽出し、これらを広告登録画面１１４のキーワード表示領域１１４ｂに表示するよう制御する。
【００７９】
キーワード表示領域１１４ｂから、１つのキーワードが選択されると、ＣＰＵ４２は、当該選択されたキーワードを指定キーワードとするとともに当該選択されたカテゴリーを広告カテゴリーとして、広告テーブル１０６（図６参照）に記憶する。なお、広告カテゴリー、および／または、指定キーワードは、複数選択することができる。
【００８０】
つぎに、ＣＰＵ４２は、投稿登録処理を行う（ステップＳ４）。
【００８１】
すなわち、ＣＰＵ４２は、投稿登録を要求する投稿登録要求信号がインターネット８を介して第１ユーザ端末６から送信されてくるのを監視しており、当該信号を第１ユーザ端末６から受信すると、投稿登録画面１１６（図１３参照）をインターネット８を介して当該第１ユーザ端末６に送信して、第１ユーザ端末６に表示するよう制御する。
【００８２】
その後、ＣＰＵ４２は、投稿登録画面１１６の表示に応答して第１ユーザ端末６から入力された投稿の属性を示すデータをインターネット８を介して受信し、新たな投稿コードを生成し、受信したこれらのデータを、生成した投稿コードに関連付けて、情報データベース１００の投稿テーブル１０８（図９参照）に記憶する。
【００８３】
なお、この実施形態においては、投稿登録画面１１６からカテゴリーを入力させる際、ＣＰＵ４２は、情報データベース１００のカテゴリーテーブル１１１（図１０Ｂ参照）に記憶されているカテゴリーを読み出し、これらを投稿登録画面１１６のカテゴリー表示領域１１６ａに表示するよう制御する。
【００８４】
カテゴリー表示領域１１６ａから、１つのカテゴリーが選択されると、ＣＰＵ４２は、当該選択されたカテゴリーを投稿カテゴリーとして、投稿テーブル１０８（図９参照）に記憶する。なお、投稿カテゴリーは、複数選択することができる。
【００８５】
つぎに、ＣＰＵ４２は、投稿表示処理を行う（ステップＳ５）。
【００８６】
すなわち、ＣＰＵ４２は、投稿内容の表示を要求する投稿表示要求信号がインターネット８を介して第２ユーザ端末７から送信されてくるのを監視しており、当該信号を第２ユーザ端末７から受信すると、当該信号に基づいて特定された投稿の投稿内容に指定キーワードが含まれているか否かを情報データベース１００の投稿テーブル１０８と広告テーブル１０６とに基づいて判断し、当該投稿内容に指定キーワードが含まれていると判断した場合には、含まれている指定キーワードを選択可能な状態にした投稿内容を情報通信網８を介して第２ユーザ端末７に送信して表示するよう制御する。
【００８７】
第２ユーザ端末７に表示すべき投稿を投稿表示要求信号に基づいてＣＰＵ４２が特定する具体的方法は、とくに限定されるものではないが、第２ユーザ端末７に表示すべき投稿として、当該第２ユーザの属性に合致する投稿、たとえば当該第２ユーザのユーザカテゴリーに合致する投稿カテゴリーを有するという条件を満たす投稿を、ユーザテーブル１０４および投稿テーブル１０８に基づいて抽出するよう構成することができる。この場合、抽出された投稿すべてを第２ユーザ端末７に表示すべき投稿としてもよいが、抽出された複数の投稿の一部、たとえば、最新の投稿（これに対するコメントを含むものであってもよい）のみを第２ユーザ端末７に表示すべき投稿としてもよい。
【００８８】
また、当該第２ユーザの属性とは関係なく、最新の投稿（１つ）または最近の投稿（複数）を、第２ユーザ端末７に表示すべき投稿としてもよい。
【００８９】
また、第２ユーザ端末７に表示すべき特定の投稿を指定する投稿指定信号や、特定の投稿カテゴリーを指定する投稿カテゴリー指定信号を、第２ユーザ端末７から入力させ、これを投稿表示要求信号に含ませるようにすることができる。このようにすれば、投稿表示要求信号に含まれる投稿指定信号に基づいて特定した投稿内容や、投稿表示要求信号に含まれる投稿カテゴリー指定信号に基づいて投稿テーブル１０８にしたがって抽出した投稿に基づいて特定した投稿内容が第２ユーザ端末７に表示されるので、第２ユーザが、現在、興味を持っている投稿内容が表示されることになり、さらに価値の高い情報を第２ユーザに提供することができる。
【００９０】
このようにして特定された投稿内容に指定キーワードが含まれているか否かは、たとえば、当該投稿内容を構成する各単語と、広告テーブル１０６に記載された全広告の指定キーワードとをマッチング（比較）することにより判断する。当該投稿内容を構成するいずれかの単語と、広告テーブル１０６に記載された指定キーワードのいずれかとが一致すれば、当該投稿内容に指定キーワードが含まれていると判断する。
【００９１】
ＣＰＵ４２は、当該投稿内容に指定キーワードが含まれていると判断した場合には、含まれている指定キーワードに該当する単語の文字色を他の文字の文字色と変えたり（たとえば、指定キーワードに該当する単語の文字色を赤色とし、他の文字の文字色を黒色とする）、指定キーワードに該当する単語にのみ下線を引いたりするなど、指定キーワードに該当する単語を強調表示するとともに、当該単語を選択可能な状態にした投稿内容を、情報通信網８を介して第２ユーザ端末７に送信して表示するよう制御する。
【００９２】
ここに、単語を選択可能な状態にするとは、投稿内容が第２ユーザ端末７に表示されたとき、投稿内容を構成する当該単語を、マウス６８などの入力装置を用いて選択し得る状態にすることをいう。なお、後述するように、ＣＰＵ４２は、当該単語が選択されると、当該単語に関連付けられた特定の情報処理（ステップＳ６〜ステップＳ９）を行う。
【００９３】
ステップＳ５の処理結果として第２ユーザ端末７に表示された投稿内容の一例を表す画面（図１４、投稿表示画面１１８）に示すように、この例では、原投稿（上段の原投稿表示領域１１８ａに表示）およびコメント投稿（下段のコメント投稿表示領域１１８ｂに表示）の、２つの投稿内容が表示されている。原投稿の投稿内容を構成する単語「パーマ」およびコメント投稿の投稿内容を構成する単語「美容室選び」が、それぞれ指定キーワードに該当するとして、下線を引いた状態で表示されている。なお、図１４においては、説明の便宜上、第２ユーザ端末７に表示される表示内容のうち投稿表示画面１１８のみを抜き出して記載している。
【００９４】
つぎに、ＣＰＵ４２は、広告表示処理を行う（ステップＳ６）。広告表示処理を、図５に示すステップＳ１１〜ステップＳ１６の処理に分けて説明する。
【００９５】
ＣＰＵ４２は、ステップＳ５の処理にしたがって第２ユーザ端末７に表示された投稿内容に含まれる指定キーワードが第２ユーザ端末７において選択された旨の信号がインターネット８を介して第２ユーザ端末７から送信されてくるのを監視しており、当該信号を受信すると、情報データベース１００の広告テーブル１０６に基づいて、当該選択された指定キーワードと関連付けて記憶されている広告内容（実際には、当該広告内容を示す広告コード。以下同様）を抽出する（ステップＳ１１）。
【００９６】
つぎに、ＣＰＵ４２は、投稿テーブル１０８と広告テーブル１０６とに基づいて、第２ユーザ端末７に表示された投稿内容であって当該選択された指定キーワードを含む投稿内容に関連付けて記憶されている投稿カテゴリーに合致した広告カテゴリーを有する広告内容を抽出する（ステップＳ１２）。
【００９７】
つぎに、ＣＰＵ４２は、ユーザテーブル１０４と広告テーブル１０６とに基づいて、当該第２ユーザに関連付けて記憶されているユーザカテゴリーに合致した広告カテゴリーを有する広告内容を抽出する（ステップＳ１３）。
【００９８】
つぎに、ＣＰＵ４２は、ユーザテーブル１０４と広告テーブル１０６とに基づいて、当該第２ユーザに関連付けて記憶されている地域情報（たとえば当該第２ユーザの住所）に合致した地域情報（たとえば広告の対象地域）を有する広告内容を抽出する（ステップＳ１４）。
【００９９】
つぎに、ＣＰＵ４２は、ユーザテーブル１０４と広告テーブル１０６とに基づいて、当該第２ユーザに関連付けて記憶されているその他の所望の属性情報（たとえば当該第２ユーザの性別、および／または、生年月日（年齢）等）に合致した属性情報（たとえば広告の対象性別、および／または、対象年齢等）を有する広告内容を抽出する（ステップＳ１５）。
【０１００】
つぎに、ＣＰＵ４２は、上記ステップＳ１１〜ステップＳ１５において共通して抽出された広告内容（すなわち、ステップＳ１１〜ステップＳ１５に示す各抽出条件を満たす広告内容の集合の論理積として表される広告内容）を最終的に取り出し、これを、インターネット８を介して第２ユーザ端末７に送信して表示するよう制御する（ステップＳ１６）。
【０１０１】
なお、この例では、ステップＳ１１〜ステップＳ１５（表示用広告内容抽出ステップ）に示す各抽出条件を満たす広告内容を別々の集合として求めておき、最後に（ステップＳ１６で）、これらの集合の論理積をとるよう構成したが、この発明はこれに限定されるものではない。たとえば、上述の表示用広告内容抽出ステップにおいて、前ステップの抽出条件を満たす広告内容の集合の中から次のステップの抽出条件を満たす広告内容を抽出するよう構成することもできる。
【０１０２】
この場合、ステップが進むごとに抽出される広告内容の数は少なくなるから、たとえば、表示用広告内容抽出ステップを構成する複数のステップを重要度の高い抽出条件のものから順に実行するよう構成しておき、抽出される広告内容の数が所望の数（たとえば１つ〜５つ）に到達した時点で、残りの表示用広告内容抽出ステップの実行を中止し、その時点での抽出結果を最終的な抽出結果とすればよい。このように構成すれば、広告テーブル１０６に登録されている広告内容の多寡に関わらず自動的に適正数の広告内容を第２ユーザ端末７に表示することが可能となり、広告効果をいっそう高めることができる。
【０１０３】
また、表示用広告内容抽出ステップに示す複数の抽出条件のうち、いずれか１つの抽出条件、または、２以上の抽出条件を任意に組み合わせたものを、ステップＳ６における表示用広告内容の抽出条件とすることもできる。たとえば、ステップＳ１１に示す抽出条件、または、ステップＳ１１の抽出条件を含む任意の２以上の抽出条件を任意にに組み合わせたものを、ステップＳ６における表示用広告内容の抽出条件とすることができる。
【０１０４】
さて、たとえば、第２ユーザが、図７のユーザテーブル１０４に示す「田中花子」であり、図１４に示す投稿表示画面１１８を見た当該第２ユーザが、原投稿表示領域１１８ａに表示された原投稿（図９の投稿テーブル１０８の投稿コード「１０２０３４」の投稿）の投稿内容を構成する単語「パーマ」を選択したと仮定して、ステップＳ６の広告表示処理を説明する。
【０１０５】
ＣＰＵ４２は、まず、広告テーブル１０６（図８参照）に基づき、当該選択された指定キーワード「パーマ」と関連付けて記憶されている広告内容（広告コード「００１００３」）を抽出する（ステップＳ１１）。
【０１０６】
つぎに、ＣＰＵ４２は、投稿テーブル１０８（図９参照）と広告テーブル１０６（図８参照）とに基づいて、当該原投稿の投稿内容に関連付けて記憶されている投稿カテゴリー「美容」に合致した広告カテゴリー「美容」を有する広告内容（広告コード「００１００３」）を抽出する（ステップＳ１２）。
【０１０７】
つぎに、ＣＰＵ４２は、ユーザテーブル１０４（図７参照）と広告テーブル１０６（図８参照）とに基づいて、当該第２ユーザに関連付けて記憶されているユーザカテゴリー「美容」に合致した広告カテゴリー「美容」を有する広告内容（広告コード「００１００３」）を抽出する（ステップＳ１３）。
【０１０８】
つぎに、ＣＰＵ４２は、ユーザテーブル１０４（図７参照）と広告テーブル１０６（図８参照）とに基づいて、当該第２ユーザに関連付けて記憶されている第２ユーザの住所「神戸市東灘区・・・」に合致した対象地域「神戸市東灘区」を有する広告内容（広告コード「００１００３」）を抽出する（ステップＳ１４）。
【０１０９】
つぎに、ＣＰＵ４２は、ユーザテーブル１０４（図７参照）と広告テーブル１０６（図８参照）とに基づいて、当該第２ユーザの性別「女性」、および生年月日「１９８４年１０月１日」に合致した対象性別「女性」、および対象年齢「１８〜２６歳」を有する広告内容（広告コード「００１００３」）を抽出する（ステップＳ１５）。
【０１１０】
つぎに、ＣＰＵ４２は、上記ステップＳ１１〜ステップＳ１５において共通して抽出された広告内容（広告コード「００１００３」）を最終的に取り出し、これを、インターネット８を介して第２ユーザ端末７に送信して表示するよう制御する（ステップＳ１６）。なお、広告テーブル１０６において当該広告内容の掲載日時が指定されている場合は、現在の日時が、指定された掲載日時に該当するか否かが判断され、該当する場合にのみ、当該広告内容が第２ユーザ端末７に送信されて表示される。
【０１１１】
図１５に、第２ユーザ端末７に表示された広告内容を含む広告等表示画面１２０を示す。この例では、ＡＢＣ美容室の広告内容（広告コード「００１００３」）が、広告等表示画面１２０の広告表示領域１２２に表示されている。
【０１１２】
図４に戻って、ＣＰＵ４２は、つぎに、課金ポイント更新処理を行う（ステップＳ７）。
【０１１３】
すなわち、ＣＰＵ４２は、ステップＳ６の処理にしたがって第２ユーザ端末７に広告内容が表示されることを必要条件として、情報データベース１００の広告テーブル１０６および広告主テーブル１０２に基づいて、当該広告内容に関連付けて記憶された広告主コードを抽出するとともに、抽出された広告主コードに関連付けて記憶された課金ポイントを増加するよう制御する。上述の具体例だと、ＡＢＣ美容室（広告主コード「１２０００３４」）の課金ポイントが増加する。
【０１１４】
つぎに、ＣＰＵ４２は、報酬ポイント更新処理を行う（ステップＳ８）。
【０１１５】
すなわち、ＣＰＵ４２は、ステップＳ６の処理にしたがって第２ユーザ端末７に広告内容が表示されることを必要条件として、情報データベース１００の投稿テーブル１０８およびユーザテーブル１０４に基づいて、当該広告内容が表示される原因となった投稿内容と関連付けて記憶されたユーザコードを抽出するとともに、抽出されたユーザコードと関連付けて記憶されたユーザポイントを増加するよう制御する。
【０１１６】
上述の具体例においては、図１４に示す投稿表示画面１１８の原投稿表示領域１１８ａに表示された原投稿の投稿者である第１ユーザ「山田好子」（ユーザコード「１２３４５６」）のユーザポイントが増加する。
【０１１７】
なお、第２ユーザが、コメント投稿表示領域１１８ｂに表示されたコメント投稿の投稿内容を構成する単語「美容室選び」を選択した場合も、上述の例と同様の方法（ステップＳ６〜ステップＳ８）で処理される。もちろん、この場合における第１ユーザは、コメント投稿を投稿したユーザである。
【０１１８】
つぎに、ＣＰＵ４２は、投稿リスト表示処理を行う（ステップＳ９）。
【０１１９】
すなわち、ＣＰＵ４２は、ステップＳ５の処理にしたがって第２ユーザ端末７に表示された投稿内容に含まれる指定キーワードが第２ユーザ端末７において選択された旨の信号がインターネット８を介して第２ユーザ端末７から送信されてくるのを監視しており、当該信号を受信すると、情報データベース１００の投稿テーブル１０８に基づいて、当該選択された指定キーワード含むことを必要条件として１以上の投稿内容を抽出するとともに抽出された投稿内容のリストをインターネット８を介して第２ユーザ端末７に送信して表示するよう制御する。
【０１２０】
図１５に示す広告等表示画面１２０には、このようにして第２ユーザ端末７に送られてきた投稿内容のリストが、投稿リスト表示領域１２４に一覧表示される。この例では、投稿内容のリストとして、原投稿の投稿内容のタイトルを列挙するようにしている。また、各タイトルは選択可能な状態で表示されている。
【０１２１】
なお、この例では、図１５に示す広告等表示画面１２０には、広告表示領域１２２，投稿リスト表示領域１２４の他に、投稿表示領域１２６が設けられている。投稿表示領域１２６には、ステップＳ５の投稿表示処理の処理結果として第２ユーザ端末７に表示された投稿表示画面１１８（図１４参照）と同じ内容が同じ状態（すなわち、指定キーワードに該当する単語を選択可能とした状態）で引き続き表示される。
【０１２２】
さて、ここで、投稿リスト表示領域１２４に一覧表示されているタイトルのうちいずれかが選択されると、ＣＰＵ４２は、制御をステップＳ５に戻す。
【０１２３】
すなわち、ＣＰＵ４２は、当該選択されたタイトル（投稿指定情報）により特定された投稿内容の表示を要求する投稿表示要求信号を、インターネット８を介して第２ユーザ端末７から受信し、当該信号に基づいて特定された投稿の投稿内容に指定キーワードが含まれているか否かを情報データベース１００の投稿テーブル１０８と広告テーブル１０６とに基づいて判断し、当該投稿内容に指定キーワードが含まれていると判断した場合には、含まれている指定キーワードを選択可能な状態にした投稿内容を情報通信網８を介して第２ユーザ端末７に送信して、第２ユーザ端末７の広告等表示画面１２０（図１５参照）の投稿表示領域１２６に表示する。
【０１２４】
このようにして、投稿表示領域１２６の表示が更新される。以下、更新表示された新たな投稿内容についても同様に、ステップＳ６〜ステップＳ９の処理が繰り返される。
【０１２５】
なお、図４のステップＳ１〜ステップＳ９が、図２の広告主登録制御部８２、ユーザ登録制御部８４，広告登録制御部８６，投稿登録制御部８８，投稿表示制御部９０，広告表示制御部９２，課金ポイント更新制御部９４、報酬ポイント更新制御部９６および投稿リスト表示制御部９８に、それぞれ対応する。
【０１２６】
なお、上述の実施形態においては、投稿テーブルに直接的に投稿内容を記憶させる場合を例に説明したが、この発明はこれに限定されるものではない。投稿テーブルに間接的に投稿内容を記憶させる場合にも、この発明を適用することができる。
【０１２７】
たとえば、投稿内容自体は投稿テーブル以外の投稿データ保存部（記憶部）、たとえば、投稿テーブルとは別の投稿内容専用テーブルやウェブサーバに保存しておき、投稿テーブルには、当該投稿内容の保存先を特定するデータ（投稿保存先データ）を記憶させるようにすることができる。この場合、投稿表示処理において、投稿テーブルに記憶された投稿保存先データに基づいて、上記投稿データ保存部に保存されている投稿内容が読み出され、読み出された投稿内容自体が第２ユーザ端末に表示されることになる。
【０１２８】
また、上述の実施形態においては、投稿表示処理において、第２ユーザ端末から投稿表示要求信号を受信すると、特定された投稿を構成する投稿データのうち投稿内容自体を、第２ユーザ端末に表示するよう構成したが、この発明はこれに限定されるものではない。たとえば、投稿表示処理において、投稿データのうち、投稿のタイトル、投稿の概要、投稿者の名前など、投稿内容の見出し情報（投稿見出し情報）を、第２ユーザ端末に表示するよう構成することもできる。この場合、投稿テーブルには、投稿見出し情報を記憶させておけばよい。
【０１２９】
さらに、この場合、投稿内容自体を、たとえば、上述の投稿内容専用テーブルやウェブサーバ等の投稿データ保存部に保存するとともに、投稿見出し情報を、投稿内容の保存先と関連付けて、選択可能な状態で第２ユーザ端末に表示するようにしておき、投稿見出し情報が選択されると、当該関連付けられた保存先から投稿内容を読み出して第２ユーザ端末に表示するよう構成するとよい。なお、本発明における情報データベースは、形態の如何にかかわらず上記投稿データ保存部をも含む概念である。
【０１３０】
また、上述の実施形態においては、広告テーブルに直接的に広告内容を記憶させる場合を例に説明したが、この発明はこれに限定されるものではない。広告テーブルに間接的に広告内容を記憶させる場合にも、この発明を適用することができる。
【０１３１】
たとえば、広告内容自体は広告テーブル以外の広告データ保存部（記憶部）、たとえば、広告テーブルとは別の広告内容専用テーブルやウェブサーバに保存しておき、広告テーブルには、当該広告内容の保存先を特定するデータ（広告保存先データ）を記憶させるようにすることができる。この場合、広告表示処理において、広告テーブルに記憶された広告保存先データに基づいて、上記広告データ保存部に保存されている広告内容が読み出され、読み出された広告内容自体が第２ユーザ端末に表示されることになる。
【０１３２】
上述の場合において、広告データ保存部として、もちろん、広告主のウェブページが保存されているウェブサーバを用いることもできる。広告テーブルには、当該ウェブページのＵＲＬ（Uniform Resource Locator）が記載される。この場合、広告表示処理において第２ユーザ端末７には、当該広告主のウェブページが表示されることになる。なお、本発明における情報データベースは、形態の如何にかかわらず上記広告データ保存部をも含む概念である。
【０１３３】
また、上述の実施形態においては、広告表示処理において第２ユーザ端末に表示される広告データが広告内容自体である場合を例に説明したが、この発明はこれに限定されるものではない。たとえば、広告データとして、商品名、店舗名、広告主の名称など、広告内容の見出し情報（広告見出し情報）を、広告表示処理において第２ユーザ端末に表示するよう構成することもできる。この場合、広告テーブルには、広告見出し情報を記憶させておけばよい。
【０１３４】
この場合、さらに、広告内容自体を、たとえば、上述の広告内容専用テーブルやウェブサーバ（広告主のウェブページが保存されているウェブサーバを含む）等の広告データ保存部に保存するとともに、広告見出し情報を、広告内容の保存先と関連付けて、選択可能な状態で第２ユーザ端末に表示するようにしておき、広告見出し情報が選択されると、当該関連付けられた保存先から広告内容を読み出して第２ユーザ端末に表示するよう構成することもできる。
【０１３５】
この場合、上述の課金ポイント更新処理、および／または、報酬ポイント更新処理は、第２ユーザ端末に広告見出し情報が表示されたことを条件として実行するよう構成することもできるが、さらに広告見出し情報が選択されて広告内容自体が第２ユーザ端末に表示されたことを条件として実行するよう構成することもできる。
【０１３６】
また、課金ポイント更新処理、および／または、報酬ポイント更新処理を２段階に分け、第２ユーザ端末に広告見出し情報が表示されたことを条件として第１段階の上記処理を実行するとともに、さらに広告見出し情報が選択されて広告内容自体が第２ユーザ端末に表示されたことを条件として第２段階の上記処理を実行するよう構成することもできる。このように構成すれば、広告見出し情報が表示された場合と広告内容自体が表示された場合とで、課金ポイント、および／または、報酬ポイントを変えることができるので、広告効果に応じた課金ポイント、および／または、報酬ポイントを付与することが可能となり、好都合である。
【０１３７】
また、上述の実施形態においては、第１ユーザコンピュータ（第１ユーザ端末）、第２ユーザコンピュータ（第２ユーザ端末）および広告主コンピュータ（広告主端末）として、いずれもパーソナルコンピュータを用いた場合を例に説明したが、第１ユーザコンピュータ、第２ユーザコンピュータおよび広告主コンピュータは、いずれもパーソナルコンピュータに限定されるものではない。第１ユーザコンピュータ、第２ユーザコンピュータ、および／または、広告主コンピュータとして、たとえば、携帯電話機や携帯情報端末等も使用できる。
【０１３８】
また、上述のシステム構成図、ブロック図、ハードウェア構成、フローチャート、各種データ構造、表示画面等は例として挙げたものであり、本願発明は、上述のシステム構成図、ブロック図、ハードウェア構成、フローチャート、各種データ構造、表示画面等に限定されるものではない。
【０１３９】
また、情報表示管理装置として、複数のコンピュータを分散配置することもできる。この場合、たとえば、制御部の機能を有するコンピュータと、情報データベースを有するコンピュータとを、別のコンピュータで構成することもできる。なお、分散配置する場合は、これらを情報通信網を介して相互に接続することもできる。
【０１４０】
また、情報データベースの数や種類も特に限定されるものではなく、上述の情報データベースを分割して、複数の情報データベースとすることもできる。また、情報データベースを構成するテーブルの数や種類も特に限定されるものではなく、１つのテーブルを分割して複数のテーブルとしたり、２以上のテーブルを結合して１つのテーブルとしたりとすることもできる。また、情報データベースを構成する各種記憶部の数や種類も特に限定されるものではなく、上述の各種記憶部をさらに分割したり、まとめたりすることもできる。なお、各種記憶部を分割配置する場合は、これらを情報通信網を介して相互に接続することもできる。
【０１４１】
また、上述の実施形態においては、情報通信網としてインターネットを例に説明したが、情報通信網はインターネットに限定されるものではない。たとえば、ＬＡＮ（ローカルエリアネットワーク）やＷＡＮ（ワイドエリアネットワーク）、イントラネット等を介して複数のコンピュータを接続するようなネットワークにおいて本発明を実現するようにしてもよい。
【０１４２】
なお、この実施形態においては、情報表示管理装置を構成するプログラムは、情報表示管理装置のハードディスクにインストールされたものを実行するようにしている。ただし、当該プログラムの保持形態はこれに限定されるものではない。たとえば、当該プログラムを、ＣＤ−ＲＯＭ、フレキシブルディスク、磁気テープ等に記録するようにしてもよい。
【０１４３】
さらに、有線や無線の情報通信網を介して当該プログラムを配信するようにしてもよい。また、当該プログラムをプログラム配布サーバ（図示せず）にインストールしておき、たとえばインターネットなどの情報通信網を介してクライアントコンピュータに当該プログラムを実行させるようにしてもよい。
【０１４４】
また、プログラムやデータの記録態様や配布態様は特に限定されるものではない。直接実行できる形で記録媒体に記録したり配布したりする他、たとえば、解凍して使用するように圧縮された形で記録媒体に記録したり配布したりすることもできる。
【０１４５】
なお、上述の実施形態においては、コンピュータを用いて図２の各機能を実現する場合を例に説明したが、図２の機能の一部または全部を、ハードウェアロジックを用いて構成するようにしてもよい。
【０１４６】
上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。また、上記においては、本発明のいくつかの典型的な実施形態についてのみ詳細に記述したが、当業者であれば、本発明の新規な教示および利点を逸脱することなしに上記典型的な実施形態において多くの変更が可能であることを、容易に認識するであろう。したがって、そのような変更はすべて、本発明の範囲に含まれるものである。
【図面の簡単な説明】
【０１４７】
【図１】この発明の一実施形態による情報表示管理システム２の構成を示す図面である。
【図２】図１の情報表示管理システム２を構成する管理サーバ４、第１ユーザ端末６、第２ユーザ端末７および広告主端末１０の構成を示すブロック図である。
【図３】管理サーバ４として機能するサーバコンピュータ４，第１ユーザ端末６（第２ユーザ端末７），および広告主端末１０のハードウェア構成を説明するためのブロック図である。
【図４】情報表示管理システム２における処理の流れの一例を示すフローチャートである。
【図５】図４に示す広告表示処理Ｓ６の詳細な一例を表したフローチャートである。
【図６】広告主テーブル１０２のデータ構造の一例を示す図面である。
【図７】ユーザテーブル１０４のデータ構造の一例を示す図面である。
【図８】広告テーブル１０６のデータ構造の一例を示す図面である。
【図９】投稿テーブル１０８のデータ構造の一例を示す図面である。
【図１０】図１０Ａはキーワードテーブル１１０のデータ構造の一例を示す図面である。図１０Ｂはカテゴリーテーブル１１１のデータ構造の一例を示す図面である。
【図１１】ユーザ登録処理（ステップＳ２）において第１ユーザ端末６（第２ユーザ端末７）に表示される画面の一例を示す図面である。
【図１２】広告登録処理（ステップＳ３）において広告主端末１０に表示される画面の一例を示す図面である。
【図１３】投稿登録処理（ステップＳ４）において第１ユーザ端末６に表示される画面の一例を示す図面である。
【図１４】投稿表示処理（ステップＳ５）において第２ユーザ端末７に表示される画面の一例を示す図面である。
【図１５】広告表示処理（ステップＳ６）〜投稿リスト表示処理（ステップＳ９）において第２ユーザ端末７に表示される画面の一例を示す図面である。
【符号の説明】
【０１４８】
４：管理サーバ
７：第２ユーザ端末
９２：広告表示制御部
９６：報酬ポイント更新制御部
１００：情報データベース
１０４：ユーザテーブル
１０６：広告テーブル
１０８：投稿テーブル
特許出願人  株式会社クインランド
出願人代理人  弁理士  田川  幸一
【図１】
2006185006.tif 000003
【図２】
2006185006.tif 000004
【図３】
2006185006.tif 000005
【図４】
2006185006.tif 000006
【図５】
2006185006.tif 000007
【図６】
2006185006.tif 000008
【図７】
2006185006.tif 000009
【図８】
2006185006.tif 000010
【図９】
2006185006.tif 000011
【図１０】
2006185006.tif 000012
【図１１】
2006185006.tif 000013
【図１２】
2006185006.tif 000014
【図１３】
2006185006.tif 000015
【図１４】
2006185006.tif 000016
【図１５】
2006185006.tif 000017